(57)【要約】【課題】インターネット利用者の興味を示す検索キーワードを、幅広く収集し、分析した結果を提供することを可能とする。【解決手段】サイト内検索の検索窓を設置したＷｅｂサイトのコンテンツを格納するＷｅｂサイトサーバと、サイト内検索を実行する検索実行者側に設置される検索実行者端末と、検索キーワードを収集するサービス提供者側に設置され、通信ネットワークを介して接続されるサービス提供者サーバからなる検索キーワードの管理システムにおいて、前記サービス提供者サーバは、少なくとも検索キーワード及び登録者識別番号の各データを受信する検索キーワード受信手段と、受信した各データとサービス提供者サーバが前記各データを受信した日時である検索日時のデータを検索キーワード記録データベースに記録する検索キーワード記録手段とを備える。さらに、収集したデータを各種分析する手段と情報提供するために送信する手段をも備える。【選択図】図１
2008234231.tif 000002
【特許請求の範囲】
【請求項１】
サイト内検索の検索窓を設置したＷｅｂサイトのコンテンツを格納するＷｅｂサイトサーバと、当該Ｗｅｂサイトを訪問してサイト内検索を実行する検索実行者側に設置される検索実行者端末と、検索キーワードを収集するサービス提供者側に設置されるサービス提供者サーバが、インターネットなどの通信ネットワークを介して接続されている検索キーワードの管理システムにおいて、
前記サービス提供者サーバは、
少なくとも登録者のＷｅｂサイトの訪問者によって当該サイト内検索の検索窓に入力された検索キーワード及び事前に登録者に付与されている登録者識別番号の各データを前記Ｗｅｂサイトサーバから受信する検索キーワード受信手段と、
前記検索キーワード受信手段によって受信した各データとサービス提供者サーバが前記各データを受信した日時である検索日時のデータを検索キーワード記録データベースに記録する検索キーワード記録手段と、
を備えたことを特徴とするサイト内検索における検索キーワードの管理システム。
【請求項２】
サイト内検索の検索窓を設置したＷｅｂサイトのコンテンツを格納するＷｅｂサイトサーバと、当該Ｗｅｂサイトを訪問してサイト内検索を実行する検索実行者側に設置される検索実行者端末と、検索キーワードを収集するサービス提供者側に設置されるサービス提供者サーバが、インターネットなどの通信ネットワークを介して接続されている検索キーワードの管理システムにおいて、
前記サービス提供者サーバは、
少なくとも登録者のＷｅｂサイトの訪問者によって当該サイト内検索の検索窓に入力された検索キーワード及び事前に登録者に付与されている登録者識別番号の各データを前記検索実行者端末から受信する検索キーワード受信手段と、
前記検索キーワード受信手段によって受信した各データとサービス提供者サーバが前記各データを受信した日時である検索日時のデータを検索キーワード記録データベースに記録する検索キーワード記録手段と、
を備えたことを特徴とするサイト内検索における検索キーワードの管理システム。
【請求項３】
サイト内検索の検索窓を設置したＷｅｂサイトのコンテンツを格納するＷｅｂサイトサーバと、検索ＡＳＰ提供者側に設置される検索ＡＳＰサーバと、当該Ｗｅｂサイトを訪問してサイト内検索を実行する検索実行者側に設置される検索実行者端末と、検索キーワードを収集するサービス提供者側に設置されるサービス提供者サーバが、インターネットなどの通信ネットワークを介して接続されている検索キーワードの管理システムにおいて、
前記サービス提供者サーバは、
少なくとも登録者のＷｅｂサイトの訪問者によって当該サイト内検索の検索窓に入力された検索キーワード及び事前に登録者に付与されている登録者識別番号の各データを前記検索実行者端末から受信する検索キーワード受信手段と、
前記検索キーワード受信手段によって受信した各データとサービス提供者サーバが前記各データを受信した日時である検索日時のデータを検索  キーワード記録データベースに記録する検索キーワード記録手段と、
前記検索キーワードを前記検索ＡＳＰサーバへ送信する手段と、
前記送信手段によって送信された前記検索キーワードについての検索結果を前記検索ＡＳＰサーバから受信する手段と、
前記受信手段によって受信した検索結果を前記検索実行者端末へ送信する手段と、
を備えたことを特徴とするサイト内検索における検索キーワードの管理システム。
【請求項４】
サイト内検索の検索窓を設置したＷｅｂサイトのコンテンツを格納するＷｅｂサイトサーバと、検索ＡＳＰ提供者側に設置される検索ＡＳＰサーバと、当該Ｗｅｂサイトを訪問してサイト内検索を実行する検索実行者側に設置される検索実行者端末と、検索キーワードを収集するサービス提供者側に設置されるサービス提供者サーバが、インターネットなどの通信ネットワークを介して接続されている検索キーワードの管理システムにおいて、
前記サービス提供者サーバは、
少なくとも登録者のＷｅｂサイトの訪問者によって当該サイト内検索の検索窓に入力された検索キーワード及び事前に登録者に付与されている登録者識別番号の各データを前記検索ＡＳＰサーバから受信する検索キーワード受信手段と、
前記検索キーワード受信手段によって受信した各データとサービス提供者サーバが前記各データを受信した日時である検索日時のデータを検索キーワード記録データベースに記録する検索キーワード記録手段と、
を備えたことを特徴とするサイト内検索における検索キーワードの管理システム。
【請求項５】
前記検索キーワード受信手段が送信元のサーバにおけるバッチ処理後に受信する場合、前記検索日時は、前記送信元のサーバが前記検索実行者端末から検索キーワードを受信した日時であることを特徴とする請求項１及び請求項４記載のサイト内検索における検索キーワードの管理システム。
【請求項６】
情報提供を受けるために情報閲覧者側に設置された閲覧者端末が、さらにインターネットなどの通信ネットワークを介して接続されている検索キーワードの管理システムにおいて、
前記サービス提供者サーバは、
前記検索キーワード記録手段によって記録された各データを順次読み出して、データを各種分析する手段と、
無償又は有償で前記分析した結果を前記閲覧者端末に前記通信ネットワークを介して送信する手段と、
をさらに備えたことを特徴とする請求項１乃至請求項５記載のサイト内検索における検索キーワードの管理システム。
【請求項７】
前記サービス提供者サーバは、
前記Ｗｅｂサイトのカテゴリ別に検索リクエストの件数が上位Ｎ位の検索キーワードの分析結果を二次元または三次元表示させる多次元表示手段
をさらに備えたことを特徴とする請求項６記載のサイト内検索における検索キーワードの管理システム。
【請求項８】
インターネットなどの通信ネットワークを介して、サイト内検索の検索窓を設置したＷｅｂサイトのコンテンツを格納するＷｅｂサイトサーバと、検索ＡＳＰ提供者側に設置される検索ＡＳＰサーバ、当該Ｗｅｂサイトを訪問してサイト内検索を実行する検索実行者側に設置される検索実行者端末などと接続されており、
前記Ｗｅｂサイトサーバ、検索ＡＳＰサーバ又は検索実行者端末から少なくとも検索実行者によってサイト内検索の検索窓に入力された検索キーワード及び登録者識別番号を受信する検索キーワード受信手段と、
前記検索キーワード受信手段によって受信した各データと前記サービス提供者サーバが前記各データを受信した日時である検索日時のデータを検索キーワード記録データベースに記録する検索キーワード記録手段と、
を備えたことを特徴とするサイト内検索における検索キーワードの管理システムにおけるサービス提供者サーバ装置。
【請求項９】
前記検索キーワード受信手段が送信元のサーバにおけるバッチ処理後に受信する場合、前記検索日時は、前記送信元のサーバが前記検索実行者端末から検索キーワードを受信した日時であることを特徴とする請求項８記載のサイト内検索における検索キーワードの管理システムにおけるサービス提供者サーバ装置。
【請求項１０】
インターネットなどの通信ネットワークを介して情報提供を受けるために情報閲覧者側に設置された閲覧者端末とさらに接続されており、
前記検索キーワード記録手段によって記録された各データを順次読み出して、データを各種分析する手段と、
無償又は有償で前記分析した結果を前記閲覧者端末に前記通信ネットワークを介して送信する手段と、
をさらに備えたことを特徴とする請求項８乃至請求項９記載のサイト内検索における検索キーワードの管理システムにおけるサービス提供者サーバ装置。
【請求項１１】
前記Ｗｅｂサイトのカテゴリ別に検索リクエストの件数が上位Ｎ位の検索キーワードの分析結果を二次元または三次元表示させる多次元表示手段
をさらに備えたことを特徴とする請求項１０記載のサイト内検索における検索キーワードの管理システムにおけるサービス提供者サーバ装置。
【発明の詳細な説明】
【技術分野】
【０００１】
本発明は、インターネット上のＷｅｂサイトにおいてサイト内検索された検索キーワードの収集、収集された検索キーワードの分析及び分析結果の提供をするためのシステムに関するものである。
【背景技術】
【０００２】
インターネットのＷｅｂサイト（ホームページ）やブログ（Ｗｅｂｌｏｇ）を検索キーワードを指定して検索する技術には、インターネット検索とサイト内検索の２種類がある。
まず、インターネット検索は、世界中のＷｅｂサイトを検索するために使用される。つまり、ユーザはＷｅｂサイトを探すために検索窓を使用して検索キーワードを指定する。
次に、サイト内検索は、当該Ｗｅｂサイト（ブログを含む。以下同じ）の中のＷｅｂページを検索するために使用される。つまり、ユーザはＨＴＭＬやＰＤＦなどのＷｅｂページを探すために検索窓を使用して検索キーワードを指定する。これには、商品販売のサイトやオークションのサイトなどの当該Ｗｅｂサイトが取り扱う商品等のコンテンツ検索も含まれる。
【０００３】
この点に関して、検索結果として得られる情報の質を検索エンジンの精度だけに依存させないために、検索結果とともに検索されたサイトで固有に設定されているサイト内検索の識別子を表示させることを目的として、入力された検索キーワードに対応する情報を提供するサイトサーバの識別子を検索する検索装置及び検索プログラムなどが提案されている。
【特許文献１】特開２００６−９９２７９号公報
【発明の開示】
【発明が解決しようとする課題】
【０００４】
ところで、インターネット検索やサイト内検索に際して入力された「検索キーワード」は、インターネット利用者のリアルタイムでの興味、関心並びにニーズを示す重要なマーケティング資料となるなど、大変資料価値を有するものである。これにより、マーケット全体の興味や関心についてのトレンドを知ることも可能である。
現在、このような世界中のマーケットの動き、即ちユーザの興味の変化を検索キーワードから読み取ることができるのは一部の大手のインターネット検索サービス提供事業者に限られているという状態にある。そして、これらの大手のインターネット検索サービス提供事業者は、検索キーワードに関する情報をほぼ独占しながら、インターネット検索と連動した検索連動型広告などのビジネスモデルを構築するなどして大きな収益を上げている。
ところで、インターネット検索と異なり、サイト内検索においては当該Ｗｅｂサイトの運営事業者のみが検索窓に入力された検索キーワードを収集できる立場にある。しかし、サイト内検索はインターネット検索に比べて検索ユーザ数が圧倒的に少なく、また、そのユーザも当該Ｗｅｂサイトに興味のある者に限られているために、マーケティング資料とする場合でも当該Ｗｅｂサイトの運営者の事業に役立てるためだけに限定的に利用されているにすぎないというのが現状である。そのために、サイト内検索において入力された資料価値の高い検索キーワードを十分に活用しないままに捨ててしまっている事業者（個人を含む）が多いという大きな課題がある。
【０００５】
このサイト内検索における検索キーワードが活用されずに捨てられているという課題の背景について、さらに整理して説明することとする。
第一は、少ない検索リクエスト数である。サイト内検索の検索リクエスト数はインターネット検索と比べて圧倒的に少なく、マーケティング資料としての価値が低く、活用するのが困難である。しかし、多数のサイト内検索の検索キーワードを一箇所若しくは複数箇所で容易に収集することが可能であれば、インターネット検索の検索リクエストに匹敵するほどの資料価値にまで高めることが可能である。言わば、市場において需要が大きいものだけでなく、小さいものも幅広く取り込んでいくことによって、より収益の増加を図ろうとするマーケティング理論、即ちロングテール理論を検索リクエストに適用した考え方である。
第二は、偏ったユーザ属性である。サイト内検索で検索するキーワードの入力者は当該Ｗｅｂサイトに興味を持っているユーザに限定されるため、ユーザ属性が偏る傾向にある。例えば、自動車会社のＷｅｂサイトには自動車好きが集まりやすいということが言える。しかし、多数のサイト内検索の検索キーワードを幅広く収集することができれば、このユーザ属性を均質化することが可能となる。
【課題を解決するための手段】
【０００６】
上記の課題を解決するために請求項１記載の発明は、サイト内検索の検索窓を設置したＷｅｂサイトのコンテンツを格納するＷｅｂサイトサーバと、当該Ｗｅｂサイトを訪問してサイト内検索を実行する検索実行者側に設置される検索実行者端末と、検索キーワードを収集するサービス提供者側に設置されるサービス提供者サーバが、インターネットなどの通信ネットワークを介して接続されている検索キーワードの管理システムにおいて、前記サービス提供者サーバは、少なくとも登録者のＷｅｂサイトの訪問者によって当該サイト内検索の検索窓に入力された検索キーワード及び事前に登録者に付与されている登録者識別番号の各データを前記Ｗｅｂサイトサーバから受信する検索キーワード受信手段と、前記検索キーワード受信手段によって受信した各データとサービス提供者サーバが前記各データを受信した日時である検索日時のデータを検索キーワード記録データベースに記録する検索キーワード記録手段と、を備えたことを特徴とする。
【０００７】
請求項２記載の発明は、サイト内検索の検索窓を設置したＷｅｂサイトのコンテンツを格納するＷｅｂサイトサーバと、当該Ｗｅｂサイトを訪問してサイト内検索を実行する検索実行者側に設置される検索実行者端末と、検索キーワードを収集するサービス提供者側に設置されるサービス提供者サーバが、インターネットなどの通信ネットワークを介して接続されている検索キーワードの管理システムにおいて、前記サービス提供者サーバは、少なくとも登録者のＷｅｂサイトの訪問者によって当該サイト内検索の検索窓に入力された検索キーワード及び事前に登録者に付与されている登録者識別番号の各データを前記検索実行者端末から受信する検索キーワード受信手段と、前記検索キーワード受信手段によって受信した各データとサービス提供者サーバが前記各データを受信した日時である検索日時のデータを検索キーワード記録データベースに記録する検索キーワード記録手段と、を備えたことを特徴とする。
【０００８】
請求項３記載の発明は、サイト内検索の検索窓を設置したＷｅｂサイトのコンテンツを格納するＷｅｂサイトサーバと、検索ＡＳＰ提供者側に設置される検索ＡＳＰサーバと、当該Ｗｅｂサイトを訪問してサイト内検索を実行する検索実行者側に設置される検索実行者端末と、検索キーワードを収集するサービス提供者側に設置されるサービス提供者サーバが、インターネットなどの通信ネットワークを介して接続されている検索キーワードの管理システムにおいて、前記サービス提供者サーバは、少なくとも登録者のＷｅｂサイトの訪問者によって当該サイト内検索の検索窓に入力された検索キーワード及び事前に登録者に付与されている登録者識別番号の各データを前記検索実行者端末から受信する検索キーワード受信手段と、前記検索キーワード受信手段によって受信した各データとサービス提供者サーバが前記各データを受信した日時である検索日時のデータを検索キーワード記録データベースに記録する検索キーワード記録手段と、前記検索キーワードを前記検索ＡＳＰサーバへ送信する手段と、前記送信手段によって送信された前記検索キーワードについての検索結果を前記検索ＡＳＰサーバから受信する手段と、前記受信手段によって受信した検索結果を前記検索実行者端末へ送信する手段と、を備えたことを特徴とする。
【０００９】
請求項４記載の発明は、サイト内検索の検索窓を設置したＷｅｂサイトのコンテンツを格納するＷｅｂサイトサーバと、検索ＡＳＰ提供者側に設置される検索ＡＳＰサーバと、当該Ｗｅｂサイトを訪問してサイト内検索を実行する検索実行者側に設置される検索実行者端末と、検索キーワードを収集するサービス提供者側に設置されるサービス提供者サーバが、インターネットなどの通信ネットワークを介して接続されている検索キーワードの管理システムにおいて、前記サービス提供者サーバは、少なくとも登録者のＷｅｂサイトの訪問者によって当該サイト内検索の検索窓に入力された検索キーワード及び事前に登録者に付与されている登録者識別番号の各データを前記検索ＡＳＰサーバから受信する検索キーワード受信手段と、前記検索キーワード受信手段によって受信した各データとサービス提供者サーバが前記各データを受信した日時である検索日時のデータを検索キーワード記録データベースに記録する検索キーワード記録手段と、を備えたことを特徴とする。
【００１０】
請求項５記載の発明は、請求項１及び請求項４記載のサイト内検索における検索キーワードの管理システムにおいて、前記検索キーワード受信手段が送信元のサーバにおけるバッチ処理後に受信する場合、前記検索日時は、前記送信元のサーバが前記検索実行者端末から検索キーワードを受信した日時であることを特徴とする。
【００１１】
請求項６記載の発明は、請求項１乃至請求項５記載のサイト内検索における検索キーワードの管理システムにおいて、情報提供を受けるために情報閲覧者側に設置された閲覧者端末が、さらにインターネットなどの通信ネットワークを介して接続されている検索キーワードの管理システムにおいて、前記サービス提供者サーバは、前記検索キーワード記録手段によって記録された各データを順次読み出して、データを各種分析する手段と、無償又は有償で前記分析した結果を前記閲覧者端末に前記通信ネットワークを介して送信する手段と、をさらに備えたことを特徴とする。
【００１２】
請求項７記載の発明は、請求項６記載のサイト内検索における検索キーワードの管理システムにおいて、前記サービス提供者サーバは、前記Ｗｅｂサイトのカテゴリ別に検索リクエストの件数が上位Ｎ位の検索キーワードの分析結果を二次元または三次元表示させる多次元表示手段をさらに備えたことを特徴とする。
【００１３】
請求項８記載の発明は、サイト内検索における検索キーワードの管理システムにおけるサービス提供者サーバ装置において、インターネットなどの通信ネットワークを介して、サイト内検索の検索窓を設置したＷｅｂサイトのコンテンツを格納するＷｅｂサイトサーバと、検索ＡＳＰ提供者側に設置される検索ＡＳＰサーバ、当該Ｗｅｂサイトを訪問してサイト内検索を実行する検索実行者側に設置される検索実行者端末などと接続されており、前記Ｗｅｂサイトサーバ、検索ＡＳＰサーバ又は検索実行者端末から少なくとも検索実行者によってサイト内検索の検索窓に入力された検索キーワード及び登録者識別番号を受信する検索キーワード受信手段と、前記検索キーワード受信手段によって受信した各データと前記サービス提供者サーバが前記各データを受信した日時である検索日時のデータを検索キーワード記録データベースに記録する検索キーワード記録手段と、を備えたことを特徴とする。
【００１４】
請求項９記載の発明は、請求項８記載のサイト内検索における検索キーワードの管理システムにおけるサービス提供者サーバ装置において、前記検索キーワード受信手段が送信元のサーバにおけるバッチ処理後に受信する場合、前記検索日時は、前記送信元のサーバが前記検索実行者端末から検索キーワードを受信した日時であることを特徴とする。
【００１５】
請求項１０記載の発明は、請求項８乃至請求項９記載のサイト内検索における検索キーワードの管理システムにおけるサービス提供者サーバ装置において、インターネットなどの通信ネットワークを介して情報提供を受けるために情報閲覧者側に設置された閲覧者端末とさらに接続されており、前記検索キーワード記録手段によって記録された各データを順次読み出して、データを各種分析する手段と、無償又は有償で前記分析した結果を前記閲覧者端末に前記通信ネットワークを介して送信する手段と、をさらに備えたことを特徴とする。
【００１６】
請求項１１記載の発明は、請求項１０記載のサイト内検索における検索キーワードの管理システムにおけるサービス提供者サーバ装置において、前記Ｗｅｂサイトのカテゴリ別に検索リクエストの件数が上位Ｎ位の検索キーワードの分析結果を二次元または三次元表示させる多次元表示手段をさらに備えたことを特徴とする。
【発明の効果】
【００１７】
本発明のサイト内検索における検索キーワードの管理システムによれば、大手のインターネット検索サービス提供事業者以外の者でも、多数のＷｅｂサイトから検索キーワードを収集することでき、マーケットの動きを読み取ることができるようになる。つまり、参入障壁を打破できるようになるのである。何よりも、今まで検索キーワードを活用せずに捨てていた事業者に、せっかくの検索キーワードを無駄にせずにマーケティング価値の高い情報を提供することができるという効果をもたらす。
そして、多数のサイト内検索から収集したデータを、横断的に各種分析して第三者に提供することもできる。この場合、１サイトに限定せずに多数のサイトを横断的に分析することで、より価値の高い分析データを提供することも可能となる。
また、広告収益モデルや課金収益モデルなどと結びつけたビジネスモデルを構築することも可能となる。
【発明を実施するための最良の形態】
【００１８】
インターネット利用者の興味を示す重要なマーケティング資料となるなど様々な資料価値を有する検索キーワードを、より幅広く収集して分析提供することを可能とするという課題を解決するために、以下のようなサイト内検索における検索キーワードの管理システムを発明した。
【実施例１】
【００１９】
先ず、本発明における用語の定義は、次の通りである。
「検索窓」とは、検索実行者が検索する文字列を入力するためのＷｅｂサイトに設置される領域であり、検索実行者の指示により、当該領域に入力された文字列を検索を実行するサーバに送信する。そして、前記「指示」には、［検索］ボタンのクリック、キーボードの［Enter］キーの押下、ペンで画面をタッチして入力する方法などが含まれる。
「検索キーワード」とは、本願の発明で収集する前記検索窓に入力された文字列全体を指し、個々の単語に限定されるものではない。ただし、検索キーワードを分析する時には、個々の単語に分割することもある。前記検索窓に入力される文字列には、空白などで区切られた複数の単語、演算子を用いて表現される検索の式文字列などが含まれる。
【００２０】
「サービス提供者」とは、本発明に係るサイト内検索における検索キーワードを収集するなどのサービスを提供する者である。
「Ｗｅｂサイト」とは、ホームページやブログのコンテンツ配信を行うサイトである。
「Ｗｅｂサイト運営者」とは、Ｗｅｂサイトを運営する法人などの組織及び個人であり、ブログサービスプロバイダも含まれる。
「登録者」とは、サイト内検索の検索窓がついているＷｅｂサイトを本サービスの提供を受けるために登録した者である。本サービスの提供を受けるためには、事前に登録していることが必要であり、登録に際してサービス提供者より登録者を識別するための番号である登録者識別番号が付与される。なお、通常、Ｗｅｂサイト運営者と登録者は同一人であるが、場合によっては異なる場合もある。例えば、Ｗｅｂサイトがブログであり、登録者がブログサービスプロバイダのサービスを利用してブログを開設している場合、Ｗｅｂサイト運営者はブログサービスプロバイダであって、登録者ではないなどの場合である。
「インデックス」とは、全文検索実行時に使用される転置索引（Ｉｎｖｅｒｔｅｄ  Ｉｎｄｅｘ）のことである。なお、全文検索の方式としては、大きく転置索引方式と順次検索方式の２種類があるが、本発明における検索においては、両方式とも含まれ、転置索引方式に限られない。
また、「ＡＳＰ」はＡｐｐｌｉｃａｔｉｏｎ  Ｓｅｒｖｉｃｅ  Ｐｒｏｖｉｄｅｒの略語であり、「ＡＰＩ」はＡｐｐｌｉｃａｔｉｏｎ  Ｐｒｏｇｒａｍｍｉｎｇ  Ｉｎｔｅｒｆａｃｅの略語である。
【００２１】
図１は、本願のサイト内検索における検索キーワードの管理システムの実施例１を示し、その全体構成を示したものである。
本システムは、図１に示すように、検索キーワードを収集するサービス提供者側に設置されるサービス提供者サーバ１０１と、サイト内検索の検索窓を設置したＷｅｂサイトのコンテンツを格納するＷｅｂサイトサーバ１０２と、検索ＡＳＰ提供者側に設置される検索ＡＳＰサーバ１０３と、当該Ｗｅｂサイトを訪問してサイト内検索を実行する検索実行者側に設置される検索実行者端末１０４と、本サービスの提供を受けるために登録した登録者側に設置される登録者端末１０５と、サービス提供者からの情報提供を受けるために情報閲覧者側に設置される閲覧者端末１０６が、インターネットなどの通信ネットワーク１０７を介して接続されている構成となっている。
なお、検索実行者端末１０４、登録者端末１０５、閲覧者端末１０６は、パソコン、携帯電話、ＰＨＳ、ＰＤＡ、携帯型小型パソコンなどを少なくとも含むものとする。
また、図１では、サービス提供者サーバ１０１、Ｗｅｂサイトサーバ１０２、検索ＡＳＰサーバ１０３、検索実行者端末１０４、登録者端末１０５、閲覧者端末１０６は、１つとして示されているが、これらは各々複数あっても良い。
サービス提供者サーバ１０１は、登録者管理テーブルや検索キーワード記録テーブルなどを含んだ検索キーワード記録データベースを格納している。
【００２２】
本願に係る発明は、図２に示す通り、複数のＷｅｂサイトの各サイト内検索の検索窓に入力された検索キーワードを、一箇所若しくは複数箇所からサービス提供者サーバ１０１に収集し、その収集した検索キーワードを様々な観点から分析し、その分析した結果を検索キーワード分析レポートとしてオンライン又はオフラインの方法によって閲覧者端末１０６へ提供するものである。
【００２３】
本発明を実施するにあたって、本サービスの提供を受ける登録者は、サービス提供者サーバ１０１内の登録者管理テーブルに登録されていなければならない。そのために、事前に登録を行わなければならず、当該登録にあたっては、サービス提供者によって予め用意したものを選択させるＷｅｂサイトのカテゴリ、ＷｅｂサイトのＵＲＬなどのデータを入力する。Ｗｅｂサイトのカテゴリとしては、例えば、「政治」、「経済」、「スポーツ」などがあげられる。
そして、サービス提供者から各登録者に対して、登録者固有の登録者識別番号が付与され、入力された登録データと共に、サービス提供者サーバ１０１内の登録者管理テーブルに記録される。
なお、登録の方法は、インターネットなどの通信ネットワーク１０７を介して登録者端末１０５からオンライン入力する場合ばかりでなく、手紙やＦＡＸなどによって登録用紙をサービス提供者へ送付することによって行う場合もありうる。図７は、サービス提供者サーバ１０１における登録者管理テーブルの例を示したものである。
【００２４】
そして、サービス提供者サーバ１０１は、多数のＷｅｂサイトからサイト内検索の検索キーワードを収集する。なお、収集するデータとしては、登録者識別番号、検索キーワード（空白の場合もありうる）、検索日時、検索実行者のＩＰアドレス、ヒット件数などがあげられるが、これらに限定されるものではない。図８は、サービス提供者サーバ１０１における検索キーワード記録データベース内の検索キーワード記録テーブルの例を示したものである。
なお、サービス提供者サーバ１０１への検索キーワードの送信タイミングは、通常、検索実行者端末１０４において検索キーワードが入力されて検索ボタンがクリックされたタイミングで検索キーワードがリアルタイムに送られてくる。ただし、これ以外にも、検索キーワード記録データベース内の検索キーワード記録テーブルの内容が、夜間などの適当な時間にまとめてサービス提供者サーバ１０１へ送られてくるバッチ方式による場合もありうるものとする。
【００２５】
ところで、Ｗｅｂサイトは、そのタイプにより、以下のように分類することができる。
まず、Ｗｅｂサイトにサイト内検索の検索窓がない場合は、登録者資格がなく、本発明の対象外のサイトとなる。ただし、下記の（ａ）〜（ｄ）の方法で検索窓をつけることにより、登録者となることが可能である。
次に、Ｗｅｂサイトにサイト内検索の検索窓がある場合は、登録者資格があり、本発明の対象のサイトとなる。本発明の対象サイトについては、大きくＷｅｂサイト運営者がメンテナンスするインデックスを保有する場合（非ＡＳＰ型）（ａ）と、Ｗｅｂサイト運営者が外部のインデックスを利用する場合（ＡＳＰ型）とに分類することができる。
そして、後者の場合は、さらに３つの場合に分類することができる。第一は、サービス提供者の検索ＡＳＰを利用する場合（ｂ）である。第二は、サービス提供者以外の検索ＡＳＰを利用する場合で検索のためのＷｅｂサービスＡＰＩがある場合（ｃ）である。第三は、サービス提供者以外の検索ＡＳＰを利用する場合で検索のためのＷｅｂサービスＡＰＩがない場合（ｄ）である。
ただし、上記の通り、本発明が対象とする検索の方式には、インデックスを利用する転置索引方式の場合だけでなく、順次検索方式の場合も含まれる。
【００２６】
登録者がサイト内検索の機能を継続利用しつつ、サービス提供者サーバ１０１に検索キーワードを集めさせるための具体的な技術的方法について、前記（ａ）〜（ｄ）のタイプ別に、さらに詳しく説明することとする。
【００２７】
＜（ａ）非ＡＳＰ型の場合＞
図３は、（ａ）非ＡＳＰ型の場合を示した説明図である。このタイプはＷｅｂサイト運営者がメンテナンスするインデックスを保有する。具体的な実現方法としては、オープンソースのWWWサーバ用の全文検索システムなどのソフトウェアを利用する方法、サービス提供者提供のものも含む商用全文検索エンジンを利用する方法、自前で実装する方法などがある。
検索キーワードを収集するために、前記ソフトウェアにプラグインするソフトウェアを提供して組み込んでもらうことで、登録者識別番号、検索キーワード、検索実行者端末１０４のＩＰアドレス、ヒット件数などの情報をサービス提供者が用意するサービス提供者サーバ１０１に送信する。
そして、Ｗｅｂサービスインタフェースが実行されサービス提供者サーバ１０１が検索キーワードを受信した日時である検索日時と併せて、サービス提供者サーバ１０１内の検索キーワード記録データベースに記録される。ただし、検索キーワードを送信元のサーバにおけるバッチ処理後に受信する場合は、検索日時は送信元のサーバが検索実行者端末１０４から検索キーワードを受信した日時である。
【００２８】
＜（ｂ）サービス提供者の検索ＡＳＰを利用する場合＞
図４は、（ｂ）サービス提供者の検索ＡＳＰを利用する場合を示した説明図である。このタイプでは検索リクエストがサービス提供者のサービス提供者サーバ１０１に送信されてくるため、検索を実行したときに、登録者識別番号、検索キーワード、検索日時、検索実行者のＩＰアドレス、ヒット件数などの情報を記録する。
【００２９】
＜（ｃ）サービス提供者以外の検索ＡＳＰを利用（ＷｅｂサービスＡＰＩあり）する場合＞
図５は、（ｃ）サービス提供者以外の検索ＡＳＰを利用（ＷｅｂサービスＡＰＩあり）する場合を示した説明図である。このタイプは、検索ＡＳＰ提供者が、同様の機能を検索キーワード、検索対象のＷｅｂサイトのＵＲＬ、及びいくつかのパラメータを送信してもらうことで、検索窓に検索キーワードを入力した時と同じ検索結果を返信するサービスをＷｅｂサービスの形式で提供している場合であり、ＨＴＭＬフォームのａｃｔｉｏｎ属性に当該検索ＡＳＰ提供者が提供するＣＧＩなどの検索インタフェースが指定されている。
この場合は、サービス提供者が検索ＡＳＰ提供者になりかわり、ＨＴＭＬフォームのａｃｔｉｏｎ属性にサービス提供者が提供する検索インタフェースを指定してもらい、実際の検索は旧検索ＡＳＰ提供者が提供するＷｅｂサービスをサービス提供者が利用して行う。そして、登録者識別番号、検索キーワード、検索日時、検索実行者のＩＰアドレス、ヒット件数などの情報を記録する。なお、この場合、当該Ｗｅｂサービスを利用せず、（ｂ）のタイプに移行してもよい。
【００３０】
＜（ｄ）サービス提供者以外の検索ＡＳＰを利用（ＷｅｂサービスＡＰＩなし）する場合＞
この場合は、検索ＡＳＰ提供者がサービス提供者に検索キーワードその他の情報を送信することに同意するかどうかで分けることができる。もし、同意する場合は、検索ＡＳＰ提供者に情報送信のためのプラグインを提供することで（ａ）と同様に考えることができる。この場合、登録者識別番号は検索ＡＳＰ提供者ではなく、検索ＡＳＰ提供者のサービスを直接的又はブログサービスプロバイダなどを通して間接的に利用している個々の登録者ごとに割り振るものとする。図６は、この場合について示した説明図である。
一方、同意しない場合は、サービス提供者が検索ＡＳＰ提供者となり、登録者に乗り換えてもらう。この場合は、（ｂ）のパターンとなる。それができない場合、検索キーワードは記録できないため、本サービスの対象外となる。
【００３１】
本発明においては、上記の方法で収集した検索キーワードを様々な観点から分析し、その分析した結果を検索キーワード分析レポートとして情報閲覧者へ提供するが、無償提供する分析例としては、次のようなものがある。
第一は、登録者のＷｅｂサイトの検索状況を分析するものである。より具体的には、検索リクエスト数推移、検索キーワードの単語数推移、検索キーワード一覧、ヒット０件の検索キーワードのデータなどの分析である。
さらに詳しく説明すると、検索リクエスト数推移とは、横軸に特定期間、縦軸に検索リクエスト数を取るものである。図９は、検索キーワード分析レポートにおける検索リクエスト数推移の例を示したものである。
検索キーワードの単語数推移とは、横軸に特定期間、縦軸に同期間の検索リクエスト数上位Ｎ位までの検索キーワードを分解して単語にした検索語の検索リクエスト数を取るものである。
検索キーワード一覧とは、特定期間に検索窓に入力された検索キーワードの一覧表である。
ヒット０件の検索キーワードとは、特定期間に検索されたがヒット件数が０件であった検索キーワードの一覧表である。
第二は、登録者のＷｅｂサイトが属するカテゴリ全体の検索状況を分析するものである。より具体的には、検索リクエスト数推移、検索キーワードの単語数推移、同一カテゴリの他Ｗｅｂサイトでは検索されているが登録者のＷｅｂサイトでは検索されていない検索キーワード一覧のデータなどの分析である。
【００３２】
次に、情報閲覧者へ有償提供する分析例としては、次のようなものがある。
まず、選択されたカテゴリを対象とするものとしては、検索リクエスト数推移、検索キーワードの単語数推移、指定検索キーワード数推移（傾向を知りたい検索キーワードＮ個を指定し、特定期間における検索キーワード数の推移を見る）のデータなどの分析である。
次に、全体を対象とするものとしては、現在検索されている検索キーワードのリアルタイム分析、特定期間において指定した単語がどのカテゴリで検索されているかを検索して上位Ｎカテゴリを分析、特定期間において指定した単語が他のどういう単語と組み合わされて検索されているかを分析するものなどである。
さらに、選択されたカタゴリ又は全体を対象として、検索リクエスト数上位Ｎ位までの検索キーワードを分解して単語にした検索語の検索リクエスト数をカテゴリ別にクラスタリングして、その分析結果を二次元または三次元表示させることも可能である。
図１０は、各Ｗｅｂサイトのカテゴリの特定期間における検索リクエスト数上位Ｎ位の検索語とその数の大きさを二次元の図として表示したものである。各検索語の検索リクエスト数の大きさは、円の面積の大きさや円の色などに対応させて表現する。図１０において「スポーツ」「政治」「経済」がＷｅｂサイトのカテゴリであり、「政治」カテゴリでは「郵政民営化」と「小泉」が検索リクエスト数の上位を占める検索語であることを示している。また、「郵政民営化」は「小泉」よりも検索リクエスト数が多いことを円の面積の大きさで示している。
図１１は、各Ｗｅｂサイトのカテゴリの特定期間における検索リクエスト数上位N位の検索語とその数の大きさを三次元の図として表示したものである。各検索語の検索リクエスト数の大きさは、球の大きさ、球の色、球の中心からの距離などに対応させて表現する。図１１において「スポーツ」「政治」「経済」がＷｅｂサイトのカテゴリであり、「政治」カテゴリでは「郵政民営化」と「小泉」が検索リクエスト数の上位を占める検索語であることを示している。また、「郵政民営化」は「小泉」よりも検索リクエスト数が多いことを球の大きさで示している。
【００３３】
データを分析した後の分析結果の各種データは、無償若しくは有償で前記サービス提供者サーバ１０１から情報提供を受けるために情報閲覧者側に設置された閲覧者端末１０６に通信ネットワーク１０７を介して送信することにより、情報閲覧者へ提供される。その方法には、分析結果のＣＳＶデータをメールで提供する場合も含まれる。なお、このように通信ネットワーク１０７を介して提供される場合ばかりでなく、書面などの紙媒体によって情報閲覧者へ提供される場合もありうる。
【図面の簡単な説明】
【００３４】
【図１】システム全体のハードウエア構成を示した説明図である。
【図２】実施例の全体の流れを示した説明図である。
【図３】（ａ）非ＡＳＰ型の場合を示した説明図である。
【図４】（ｂ）サービス提供者の検索ＡＳＰを利用する場合を示した説明図である。
【図５】（ｃ）サービス提供者以外の検索ＡＳＰを利用（ＷｅｂサービスＡＰＩあり）する場合を示した説明図である。
【図６】（ｄ）登録者がサービス提供者以外の検索ＡＳＰ（ＷｅｂサービスＡＰＩがない場合）を利用する場合で、検索ＡＳＰ提供者がサービス提供者に検索キーワードその他の情報を送信することに同意した場合を示した説明図である。
【図７】サービス提供者サーバ１０１における登録者管理テーブルの例を示したものである。
【図８】サービス提供者サーバ１０１における検索キーワード記録データベース内の検索キーワード記録テーブルの例を示したものである。
【図９】検索キーワード分析レポートにおける検索リクエスト数推移の例を示したものである。
【図１０】検索キーワード分析レポートにおける検索キーワードの単語数の上位N位の二次元表示の例を示したものである。
【図１１】検索キーワード分析レポートにおける検索キーワードの単語数の上位N位の三次元表示の例を示したものである。
【符号の説明】
【００３５】
１０１  サービス提供者サーバ
１０２  Ｗｅｂサイトサーバ
１０３  検索ＡＳＰサーバ
１０４  検索実行者端末
１０５  登録者端末
１０６  閲覧者端末
１０７  通信ネットワーク
【図１】
2008234231.tif 000003
【図２】
2008234231.tif 000004
【図３】
2008234231.tif 000005
【図４】
2008234231.tif 000006
【図５】
2008234231.tif 000007
【図６】
2008234231.tif 000008
【図７】
2008234231.tif 000009
【図８】
2008234231.tif 000010
【図１０】
2008234231.tif 000011
【図１１】
2008234231.tif 000012
【図９】
2008234231.tif 000013